(57)【要約】【課題】  コンクリートなどから発生した水蒸気や水性系接着剤等から発生した水蒸気や水性系接着剤等のガスを充分に排出することができる脱気筒を提供する。【解決手段】  外筒１３の側面に、円状の形状を有する開口部１６を設ける。脱気筒１０が設置される防水シート下のコンクリートに含まれていた水蒸気や防水シートの施工面の水性系接着剤等から発生したガスを、外筒１３と内筒１２との間に形成された隙間の下部からだけではなく、開口部１６からも排出することができる。外筒取付部１４は弾性部材からなるので、その側部１４Ｂを外側に向かって傾斜して設けることができ、これにより内筒１２の下面の開口１２Ｂから上昇してきた水蒸気や水性系接着剤等からのガスをスムーズに内筒１２の上面の開口１２Ａから排出することができる。【選択図】        図１
0003102598.tif 000002
【実用新案登録請求の範囲】
【請求項１】
上面および下面に開口を有する内筒と、
この内筒の上面の開口を覆うようにして、該内筒の外側に所定の間隔をあけて設けられる外筒と、
前記内筒の上面の開口の一部に設けられるとともに、所定位置に孔を有する外筒取付部と、
前記外筒の頂部の下面に設けられ、前記外筒取付部の孔に嵌合するネジ部とを備え、
前記外筒の側面に開口部が設けられ、この開口部を通じて、前記内筒の上面の開口から流出するガスを排出することを特徴とする脱気筒。
【請求項２】
前記外筒に形成された開口部は、前記外筒を前記内筒に取り付ける場合に、前記ネジ部の前記孔への嵌合箇所を視認するための視認窓の機能を兼ね備えたことを特徴とする請求項１に記載の脱気筒。
【請求項３】
前記内筒の外筒取付部は、弾性部材からなるとともに、上向き略コ字状の形状を有し、
前記外筒を前記内筒に取り付ける場合、前記外筒の頂部の下面によって前記外筒取付部を押圧すると、この外筒取付部の両側部が外側に向かって傾斜することにより、該外筒取付部の上下方向に沿う高さが調整されることを特徴とする請求項１または２に記載の脱気筒。
【考案の詳細な説明】
【技術分野】
【０００１】
本考案は、建物の屋上等の防水シート等に設けられ、防水シートの施工面の下面に溜まる水蒸気やガスを排出するための脱気筒に係り、特にガス排出機能を改良した脱気筒に関する。
【背景技術】
【０００２】
ビルなどの建物の屋上の防水施工では、コンクリートなどに防水シートが設置され、この防水シートには脱気筒が設けられる。脱気筒は、施工時においてコンクリートに含まれていた水分が経時とともに水蒸気として発生したものや、防水シートに塗布される水性系接着剤等から発生するガスを排出する装置である。このように脱気筒から水蒸気や水性系接着剤等からのガスを排出することにより、水蒸気や水性系接着剤等からのガスが防水シートの施工面に溜まることを防止し、これにより防水シートが膨張したり、亀裂が生じたりすることを防止している。
【０００３】
上記のような脱気筒は、たとえば特許文献１に示すように、上面および下面に開口を有する内筒を備え、内筒の上面の開口を覆うようにして、内筒の外側に所定の間隔をあけて外筒が設けられている。外筒は、その頂部の下面に設けられたネジ部が、外筒取付部に形成されている孔に嵌合することにより、内筒に固定されている。このような構成を有する脱気筒は、防水シートおよび施工面と一体的に固定されることにより設置される。具体的には、防水シートには、脱気筒の内筒の外経と略一致する直径を有する開口が形成されており、この開口を内筒が貫通するようにして、脱気筒の台座部が防水シートの上面に固定される。
【０００４】
このように防水シートに設置される脱気筒では、上記水蒸気や水性系接着剤等からのガスが、内筒の下面の開口から上面の開口へ流れ、外筒と内筒との間に形成された隙間の下方へ流れ、その隙間の下部から排出される。
【０００５】
【特許文献１】特開２００３−３１４００７号公報（要約）
【考案の開示】
【考案が解決しようとする課題】
【０００６】
しかしながら、上記のような脱気筒では、外筒と内筒との間の隙間が狭いため、その隙間の下部から上記のような水蒸気や水性系接着剤等のガスを充分に排出することが困難であった。また、防水施工において、外筒取付部の孔への外筒のネジ部の嵌合箇所を確認することができなかったため、外筒の内筒への取付作業が困難であった。
【０００７】
したがって、本考案は、防水シートの施工面の下面から発生した水蒸気や水性系接着剤等から発生したガスを充分に排出することができ、かつ防水施工において外筒の内筒への取付作業を容易に行うことができる脱気筒を提供することを目的とする。
【課題を解決するための手段】
【０００８】
本考案の脱気筒は、上面および下面に開口を有する内筒と、この内筒の上面の開口を覆うようにして、内筒の外側に所定の間隔をあけて設けられる外筒と、内筒の上面の開口の一部に設けられるとともに、所定位置に孔を有する外筒取付部と、外筒の頂部の下面に設けられ、外筒取付部の孔に嵌合するネジ部とを備え、外筒の側面に開口部が設けられ、この開口部を通じて、内筒の上面の開口から流出するガスを排出することを特徴としている。
【０００９】
本考案の脱気筒では、外筒の側面に開口部を設けるようにしたので、本考案の脱気筒が設置される防水シートの下のコンクリートに含まれていた水蒸気や防水シートの施工面の水性系接着剤等から発生したガスを、外筒と内筒との間に形成された隙間の下部からだけではなく、開口部からも排出することができる。したがって、防水シートの施工面の下面で発生した水蒸気や水性系接着剤等からのガスを充分に排出することができる。
【００１０】
また、外筒に形成された開口部はガス排出機能だけでなく、外筒を内筒に取り付ける場合に、ネジ部の孔への嵌合箇所を視認するための視認窓の機能を兼ね備えるのが好適である。この場合、開口部は、ネジ部の下端部に対応する位置に設けられている。このように開口部は視認窓の機能を兼ね備えるので、防水施工の現場において、外筒の内筒への取付作業を容易に行うことができる。
【００１１】
上記外筒取付部は、種々の構成を用いることができる。たとえば、内筒の外筒取付部は、弾性部材からなるとともに、上向き略コ字状の形状を有する構成とするのが好適である。この場合、外筒を内筒に取り付けるとき、外筒の頂部の下面によって外筒取付部を押圧すると、この外筒取付部の両側部が外側に傾斜することにより、外筒取付部の上下方向に沿う高さが調整される。
【００１２】
上記態様では、外筒の頂部の下面によって外筒取付部を押圧することにより、外筒取付部の上下方向に沿う高さが調整されるので、内筒に対する外筒の高さ位置を調整することができる。さらに、外筒取付部は弾性部材からなるので、その側部を外側に向かって傾斜して設けることができ、これにより内筒の下面の開口から上昇してきた水蒸気や水性系接着剤等からのガスをスムーズに内筒の上面の開口から排出することができる。加えて、外筒取付部は、上向き略コ字状の形状を有するので、外筒の頂部の下面に水蒸気が付着し、その水蒸気が水滴となってそこから落下した場合でも、外筒取付部の底部上面に溜まり、内筒の内部に落下することを防止することができる。
【考案の効果】
【００１３】
本考案の脱気筒によれば、外筒の側面に開口部を設けるようにしたので、本考案の脱気筒が設置される防水シートの下のコンクリートに含まれていた水蒸気や防水シートの施工面の水性系接着剤等から発生したガスを、外筒と内筒との間に形成された隙間の下部からだけではなく、開口部からも排出することができる。したがって、防水シートの施工面の下面で発生した水蒸気や水性系接着剤等からのガスを充分に排出することができる等の効果が得られる。
【考案を実施するための最良の形態】
【００１４】
以下、本考案の一実施形態について図面を参照して説明する。図１は、本考案の一実施形態に係る脱気筒１０を示す概略斜視図である。脱気筒１０は、円盤形状を有し、その中心部に開口１１Ａが形成されている台座部１１を備えている。台座部１１の縁部には複数の孔１１ａが形成されている。ビス等の固定具（図示略）が、これら孔１１ａを貫通するようにしてコンクリートなどの施工面（図示略）に締め付けられることにより、脱気筒１０、防水シート（図示略）および施工面が一体的に固定される。具体的には、防水シートには、脱気筒１０を構成する内筒１２の外経と略一致する直径を有する開口が形成されており、この開口を内筒１２が貫通し、台座部１１は防水シートの上面に固定される。
【００１５】
台座部１１の開口１１Ａには、上面および下面に開口１２Ａ，１２Ｂを有する内筒１２が台座部１１と一体的に設けられている。内筒１２の上面の開口１２Ａを覆うようにして、内筒１２の外側に所定の間隔をあけて外筒１３が設けられている。この場合、外筒１３と内筒１２との間に形成された隙間の下部からは、コンクリートに含まれていた水蒸気や防水シートの施工面の水性系接着剤等から発生したガスが排出される。
【００１６】
内筒１２の上面の開口１２Ａには、その一部を塞ぐようにして、外筒１３を内筒１２に取り付けるための外筒取付部１４が設けられている。外筒取付部１４は、たとえば弾性部材からなるとともに、たとえば上向き略コ字状の形状を有する。具体的には、図２に示すように外筒取付部１４は、中央に孔１４ａが形成された底部１４Ａを備え、底部１４Ａの側面には対向するようにして１組の側部１４Ｂが一体的に設けられている。この場合、側部１４Ｂは、外側に向かって略傾斜して設けられているの好適である。これにより、外筒１３の頂部の下面に水蒸気が付着し、その水蒸気が水滴となってそこから落下した場合、外筒取付部１４の底部１４Ａの上面に溜まり、内筒１２の内部に落下することが防止される。また、側部１４Ｂが外側に向かって傾斜して設けられているので、内筒１２の下面の開口１２Ｂから上昇してきた水蒸気や水性系接着剤等からのガスをスムーズに内筒１２の上面の開口１２Ａから排出することができる。
【００１７】
側部１４Ｂは、弾性部材からなるとともに、上面を押圧しない状態において、その両端が外筒１３の内周に接触しない長さとするのが好適である。これにより、外筒１３を内筒１２に取り付けるとき、外筒１３の頂部の下面によって側部１４Ｂの上面を押圧すると、この外筒取付部１４の側部１４Ｂが外側に傾倒することにより、外筒取付部１４の上下方向に沿う高さが調整される。
【００１８】
外筒１３の頂部の下面には、外筒取付部１４に外筒１３を固定するためのビス等から構成されるネジ部１５が設けられている。ネジ部１５は、外筒取付部１４の孔１４ａに嵌合されることにより、外筒１３が内筒１２に取り付けられる。この場合、外筒１３の頂部の下面によって外筒取付部１４の側部１４Ｂの上面を押圧することにより、上記のように外筒取付部１４の上下方向に沿う高さが調整される。
【００１９】
外筒１３の側面の下半分の所定位置には、たとえば円形状を有する開口部１６が設けられ、この開口部１６を通じて、内筒１２の上面の開口１２Ａから流出する水蒸気や水性系接着剤等からのガスが排出される。このように本実施形態では、外筒１３の側面に開口部１６を設けるようにしたので、コンクリートなどの施工面の下面から発生した水蒸気や水性系接着剤等から発生したガスを、外筒１３と内筒１２との間に形成される隙間の下部からだけではなく、開口部１６からも排出することができる。
【００２０】
上記のような構成を有する脱気筒１０では、施工時においてコンクリートに含まれていた水分が経時とともに水蒸気として発生したり、防水シートの施工面に塗布される水性系接着剤等からガスが発生した場合、内筒１２の下面の開口１２Ｂから上面の開口１２Ａへ流れ、外筒１３と内筒１２との間に形成された隙間の下方へ流れる。隙間の下方へ流れた水蒸気や水性系接着剤等からのガスは、その隙間の下部から排出されるとともに、外筒１３の側面に形成された開口部１６からも排出される。
【００２１】
本実施形態の脱気筒１０では、外筒１３の側面に開口部１６を設けるようにしたので、本実施形態の脱気筒１０が設置される防水シート下のコンクリートに含まれていた水蒸気や防水シートの施工面の水性系接着剤等から発生したガスを、外筒１３と内筒１２との間に形成された隙間の下部からだけではなく、開口部１６からも排出することができる。したがって、防水シートの施工面の下面で発生した水蒸気や水性系接着剤等からのガスを充分に排出することができる。
【００２２】
また、外筒の頂部の下面によって外筒取付部１４を押圧することにより、外筒取付部１４の上下方向に沿う高さが調整されるので、内筒１２に対する外筒１３の高さ位置を調整することができる。さらに、外筒取付部１４は弾性部材からなるので、その側部１４Ｂを外側に向かって傾斜して設けることができ、これにより内筒１２の下面の開口１２Ｂから上昇してきた水蒸気や水性系接着剤等からのガスをスムーズに内筒１２の上面の開口１２Ａから排出することができる。加えて、外筒取付部１４は、上向き略コ字状の形状を有するので、外筒１４の頂部の下面に水蒸気が付着し、その水蒸気が水滴となってそこから落下した場合でも、外筒取付部１４の底部１４Ａ上面に溜まり、内筒１２の内部に落下することを防止することができる。
【００２３】
以上、実施形態を挙げて本考案を説明したが、本考案は上記実施形態に限定されるものではなく、種々の変形が可能である。たとえば、上記実施形態では、外筒取付部１４を上向き略コ字状の形状を有するようにしたが、たとえば図３に示す外筒取付部１７のように一文字状の形状を有するようにしてもよい。この場合、底部にネジ部１５が嵌合される孔１７ａを有している。
【００２４】
また、上記実施形態では、円状の形状を有する開口部１６を外筒１４の側面の下半分における所定位置に設けるようにしたが、その形状や、個数、形成箇所は、これに限定されるものではなく、適宜設定するようにしてもよい。たとえば、開口部１６はＣ字状の形状としてもよい。また、開口部１６を複数設けてもよい。さらに、開口部１６の形成箇所は、外筒１４の側面の上半分における所定位置に設けてもよい。また、図４に示すように、開口部１６を、ネジ部１５の下端部に対応する位置に設けてもよい。この場合、外筒１３を内筒１２に取り付ける場合に、ネジ部１５の孔１４ａへの嵌合箇所を視認するための視認窓の機能を兼ね備えることができる。
【００２５】
上記態様では、開口部１６は視認窓の機能を兼ね備えるので、防水施工の現場において、外筒１３の内筒１２への取付作業を容易に行うことができる。
【図面の簡単な説明】
【００２６】
【図１】本考案の一実施形態に係る脱気筒の斜視図である。
【図２】本考案の一実施形態に係る脱気筒の内筒に設けられる外筒取付部の拡大斜視図である。
【図３】本考案の一実施形態に係る脱気筒の内筒に設けられる外筒取付部の変形例の拡大斜視図である。
【図４】本考案の一実施形態に係る脱気筒の外筒の変形例の拡大斜視図である。
【符号の説明】
【００２７】
１０…脱気筒、１２…内筒、１２Ａ，１２Ｂ…開口、１３…外筒、１４…外筒取付部、１４ａ…孔、１５…ネジ部、１６…開口部
【図１】
0003102598.tif 000003
【図２】
0003102598.tif 000004
【図３】
0003102598.tif 000005
【図４】
0003102598.tif 000006